(57)【要約】【課題】使用者の周囲の状況に応じて、自動的に第三者による覗き見を防止する。【解決手段】携帯表示装置１００は、液晶パネル７と、液晶パネル７に表示させる画像を制御する表示制御手段５，６と、表示制御手段５，６の出力に対して液晶パネル７の視野角を制御する処理を施す視野角制御手段３と、液晶パネル７の周囲の人間の存在を検出する検出手段４００とを備える。検出手段４００が液晶パネル７の周囲に使用者以外の第三者が存在することを検出した場合には、視野角制御手段５，６が、第三者による液晶パネル７の視認を妨げるよう視野角を制御する。【選択図】図１
2007293062.tif 000002
【特許請求の範囲】
【請求項１】
液晶パネルと、
前記液晶パネルに表示させる画像を制御する表示制御手段と、
前記表示制御手段の出力に対し、前記液晶パネルの視野角を制御する処理を施す視野角制御手段と、
前記液晶パネルの周囲の人間の存在を検出する検出手段と
を備え、
前記検出手段が前記液晶パネルの周囲に使用者以外の第三者が存在することを検出した場合には、前記視野角制御手段が、前記第三者による前記液晶パネルの表示画像の視認を妨げるよう前記液晶パネルの視野角を制御することを特徴とする携帯表示装置。
【請求項２】
前記視野角制御手段は、前記液晶パネルの表示画像のコントラストを変化させることにより、前記液晶パネルの視野角を狭くすることを特徴とする請求項１に記載の携帯表示装置。
【請求項３】
前記検出手段は、対象物までの距離を計測する距離センサと、前記距離センサの計測距離に応じて出力信号を生成するセンサ出力処理回路とを備えることを特徴とする請求項１又は２に記載の携帯表示装置。
【請求項４】
前記距離センサは、非接触の方法で対象物までの距離を計測することを特徴とする請求項３に記載の携帯表示装置。
【請求項５】
一対の前記距離センサが、各距離センサの検知可能エリアを前記液晶パネルの表示面の法線に対して左右両側に向けて配置されていることを特徴とする請求項４に記載の携帯表示装置。
【請求項６】
前記検出手段は、前記液晶パネルの表示画像を視認している人間を撮影可能なカメラモジュールと、前記カメラモジュールの撮影画像に基づいて使用者の周囲の第三者の存在を判断する判断手段とを備えることを特徴とする請求項１又は２に記載の携帯表示装置。
【請求項７】
表示画面を有する表示手段と、
前記表示手段の周囲の人間の存在を検出する検出手段と、
前記検出手段が前記表示手段の周囲に使用者以外の第三者が存在することを検出した場合に、使用者に対して、前記表示画面を視認しうる第三者が存在することを警告する警告手段と
を備えたことを特徴とする携帯表示装置。
【請求項８】
前記警告手段は、前記表示画面に、当該表示画面の表示画像に重ねて警告表示を行うことを特徴とする請求項７に記載の携帯表示装置。
【請求項９】
振動を発生するバイブレータを更に備え、
前記警告手段は、前記バイブレータを振動させることにより、使用者に対して第三者の存在を警告することを特徴とする請求項７又は８に記載の携帯表示装置。
【請求項１０】
点灯部を更に備え、
前記警告手段は、前記点灯部を点灯させることにより、使用者に対して第三者の存在を警告することを特徴とする請求項７から９までのいずれか１項に記載の携帯表示装置。
【請求項１１】
前記検出手段は、対象物までの距離を計測する距離センサと、前記距離センサの計測距離に応じて出力信号を生成するセンサ出力処理回路とを備えることを特徴とする請求項７から１０までのいずれか１項に記載の携帯表示装置。
【請求項１２】
前記距離センサは、非接触の方法で対象物までの距離を計測することを特徴とする請求項１１に記載の携帯表示装置。
【請求項１３】
前記検出手段は、前記表示手段の表示画像を視認している人間を撮影可能なカメラモジュールと、前記カメラモジュールの撮影画像に基づいて使用者の周囲の第三者の存在を判断する判断手段とを備えることを特徴とする請求項７から１０までのいずれか１項に記載の携帯表示装置。
【発明の詳細な説明】
【技術分野】
【０００１】
本発明は、携帯電話などの携帯端末機器に使用され、画像等を表示する携帯表示装置に関し、より詳細には、第三者による覗き見を防止する覗き見防止機能を備えた携帯表示装置に関する。
【背景技術】
【０００２】
従来より、携帯表示装置は、液晶パネルなどの表示画面を有しており、電話番号やメール文章、あるいは音楽再生曲名（音楽再生機能を有している場合）等を表示するようになっている。
【０００３】
携帯表示装置は、室内で使用されるほか、屋外や電車内など、不特定多数の人間が密集する場所でも使用される。電車、バス等の車内において携帯表示装置を使用する場合、例えば隣の座席又は立ち位置にいる第三者により、携帯表示装置の表示画面を盗み見される可能性がある。
【０００４】
そこで、携帯表示装置の液晶パネル表面に視界を制限するシールを貼ることにより、覗き込みを防止することが提案されている（例えば、特許文献１参照）。また、液晶パネル上に、ベールビュー液晶と呼ばれる視野角を切り替えるためのスイッチ液晶を設けることも提案されている（例えば、非特許文献１参照）。
【０００５】
【特許文献１】特開２０００−３５２９３６号公報（第３頁、図１）
【非特許文献１】シャープ株式会社、“ニュースリリース”、[online]、２００５年８月２日、[２００６年４月７日検索]、インターネット＜URL:   http://www.sharp.co.jp/corporate/news/050802-b.html＞
【発明の開示】
【発明が解決しようとする課題】
【０００６】
しかしながら、液晶パネルの表面に視界を制限するシールを貼った携帯表示装置では（特許文献１）、シールを貼ることにより輝度の低下を招き、表示画像の明るさが低下するという問題がある。また、ベールビュー液晶を設けた携帯表示装置では（非特許文献１）、使用者が、周囲に第三者がいるか否かを監視してボタン操作等を行わなければならず、操作が煩わしいという問題がある。
【０００７】
本発明は、上記の課題を解消するためになされたものであり、周囲の状況に応じて、第三者による表示画面の覗き込みを自動的に防止できるようにすることを目的とする。
【課題を解決するための手段】
【０００８】
この発明に係る携帯表示装置は、液晶パネルと、液晶パネルに表示させる画像を制御する表示制御手段と、表示制御手段の出力に対して液晶パネルの視野角を制御する処理を施す視野角制御手段と、液晶パネルの周囲の人間の存在を検出する検出手段とを備える。検出手段が液晶パネルの周囲に使用者以外の第三者が存在することを検出した場合には、視野角制御手段が、第三者による液晶パネルの表示画像の視認を妨げるよう液晶パネルの視野角を制御する。
【０００９】
この発明に係る携帯表示装置は、また、表示画面を有する表示手段と、表示手段の周囲の人間の存在を検出する検出手段と、検出手段が表示手段の周囲に使用者以外の第三者が存在することを検出した場合に、使用者に対して、表示画面を視認しうる第三者が存在することを警告する警告手段とを備える。
【発明の効果】
【００１０】
この発明によれば、携帯表示装置の液晶パネルを覗き込もうとする第三者がいる場合、検出手段によりこの第三者を検出し、視野角制御手段により、第三者による覗き見を妨げるよう視野角を制御する。そのため、使用者が第三者の存在に気付かなくても、自動的に液晶パネルの表示画像の覗き見を防止し、情報の漏洩を未然に防止することができる。また、第三者が立ち去った場合には、覗き見防止の処理が解除されるため、液晶パネルの本来の広視野角による良好な視認性を使用者のみが楽しむことができる。さらに、使用者が視野角制御のための操作を行う必要がないため、操作の煩わしさが無く、また、メール作成のキー入力などを中断する必要がないため快適性が向上する。
【００１１】
また、この発明によれば、携帯表示装置の表示画面を覗き込もうとする第三者がいる場合、検出手段によりこの第三者を検出し、警告手段により使用者に対して警告を発する。そのため、使用者が周囲の状況を常に把握していなくとも、警告手段からの警告（例えば、表示画面上の警告表示、ＬＥＤの点灯、バイブレータの振動など）により、表示画面が覗かれる可能性があることを認識することができる。そのため、使用者が、周囲に第三者のいない環境に移動するなどの適切な対処を行うことが可能となり、情報の漏洩を未然に防止することができる。
【発明を実施するための最良の形態】
【００１２】
実施の形態１．
図１は、この発明の実施の形態１の携帯表示装置１００の構成を示すブロック図である。この携帯表示装置１００は、アンテナ１１と、ＲＦ処理部１０と、ＣＰＵ８と、メモリカード９と、マイクロホン１２と、スピーカ１３と、カメラモジュール４と、画像エンジン５と、ＬＣＤドライバ６と、視野角制御処理回路３と、表示手段としての液晶パネル（以下、ＬＣＤとする。）７と、人感センサ４００とを備えている。
【００１３】
アンテナ１１により受信された無線信号ｉは、ＲＦ処理部１０においてアナログ信号からデジタル信号に復調処理され、デジタル信号ｊとしてＣＰＵ８に出力される。また、ＲＦ処理部１０は、ＣＰＵ８からの音声情報やデータ情報などのデジタルデータｋをデジタル変調処理した後、アンテナ１１へ出力し、電波として空中に放出する。
【００１４】
ＣＰＵ８は、音声通話処理時のマイクロホン１２からの音声信号ｌを信号ｋとしてＲＦ処理部１０に送出するとともに、ＲＦ処理部１０からの信号ｊから通話相手の音声信号を再生して、オーディオ信号ｍとしてスピーカ１３に出力する。また、画像エンジン５からの画像データｐを信号ｎとしてメモリカード９に書き込む処理を行うとともに、メモリカード９に書き込まれた情報を信号ｏとして読み出し、信号ｑとして画像エンジン５に出力する。
【００１５】
画像エンジン５は、カメラモジュール４に対して、撮影画像サイズやシャッタータイミングなどのカメラ撮影に必要な情報を信号ｆとして出力する。カメラモジュール４は、画像エンジン５からの信号ｆに基づいて撮影した撮影画像情報を、信号ｇとして画像エンジン５に出力する。
【００１６】
画像エンジン５は、また、ＣＰＵ８からの信号ｑに含まれる画像信号や、カメラモジュール４からの信号ｇに含まれる撮影画像情報を、一定の周期で画像信号ｃとして視野角制御処理回路３に出力する。
【００１７】
視野角制御処理回路３は、画像エンジン５からの画像信号ｃに対して、ＬＣＤ７の視野角を制御する処理を実行する。この視野角制御処理回路３は、センサ出力処理回路２（後述）から出力された信号ｂの値に応じて後述する視野角制御処理を施し、処理結果を信号ｄとしてＬＣＤドライバ６に出力する。ＬＣＤドライバ６は、視野角制御処理回路４からの信号ｄを画像として表示可能な信号形式に変換した後、信号ｅとしてＬＣＤ７に出力する。なお、ＬＣＤドライバ６と画像エンジン５は、ＬＣＤ７の表示画像を制御する「表示制御手段」を構成している。
【００１８】
人感センサ４００は、距離センサ１ａ，１ｂ及びセンサ出力処理回路２を備えて構成される。距離センサ１ａ，１ｂは、超音波や赤外線（ここでは超音波とする）を利用して対象物までの距離を計測する非接触センサである。距離センサ１ａ，１ｂは、物体までの距離に比例した信号（アナログ信号又はデジタル信号）を、信号ａａ，ａｂとしてセンサ出力処理回路２に出力する。センサ出力処理回路２では、距離センサ１ａ，１ｂからの信号ａａ又は信号ａｂに基づき、対象物、すなわち使用者以外の第三者までの距離が一定値（例えば４５ｃｍ）以下と判断した場合、ｂ＝“１”を表す信号ｂを視野角制御処理回路３に出力する。
【００１９】
次に、人感センサ４００により使用者以外の第三者（覗き込み者とする。）を検知する処理について説明する。図２は、携帯表示装置１００と、この携帯表示装置１００を使用する使用者１０１と、この使用者１０１の右側にいる覗き込み者１０２と、左側にいる覗き込み者１０３との位置関係を示す上面図である。
【００２０】
図２において、携帯表示装置１００のＬＣＤ７の表面における法線の長さＹ１は、使用者１０１が携帯表示装置１００を使用する際のＬＣＤ７と使用者１０１との距離を示す。携帯表示装置の表示部として、日本国内で最も普及しているＬＣＤ７のサイズは携帯電話などで用いられる約２．２〜２．４インチであるが、そのようなＬＣＤ７に表示される画素数は、横２４０画素、縦３２０ライン（２４０×３２０）が主流である。このような解像度の画像をＬＣＤ７に表示する場合、表示される文字などを認識するためには、Ｙ１＝３０ｃｍ程度とするのが一般的である。
【００２１】
また、図２において、使用者１０１を成人とした場合の使用者１０１と右側の覗き込み者１０２との距離Ｘ１は、日本人の成人の標準的な肩幅と同等の４０ｃｍ〜４５ｃｍ程度となる。θ１は、ＬＣＤ７の上記法線（Ｙ１）から距離Ｘ１だけ離れたところにいる覗き込み者１０２と携帯表示装置１００との角度である。
【００２２】
ここで、Ｙ１＝３０ｃｍ、Ｘ１＝４０ｃｍとした場合、角度θ１は５３°となる。また、Ｙ１＝３０ｃｍ、Ｘ１＝４５ｃｍとした場合、角度θ１は５６°となる。上述したようにＸ１が４０〜４５ｃｍであることから、角度θ１は５３°〜５６°となる。使用者１０１と左側の覗き込み者１０３との距離Ｘ２及び角度θ２については、右側の覗き込み者１０２との距離Ｘ１及び角度θ１と同様と想定されるため、Ｘ１＝Ｘ２、θ１＝θ２として扱うことができる。
【００２３】
図３は、使用者１０１の右側の覗き込み者１０２と、距離センサ１ａとの関係を示す上面図である。図３に示すように、距離センサ１ａは、ＬＣＤ７の表面の法線Ｙ１に対して角度θ１ａだけ右方向に向けて配置されており、距離センサ１ｂは、ＬＣＤ７の表面の法線Ｙ１に対して角度θ１ｂだけ左方向に向けて設置されている。距離センサ１ａ，１ｂは、ここでは超音波センサで構成されている。超音波センサの特性上、同じ距離だけ離れている対象物でも、距離センサ１ａ，１ｂの法線から離れている対象物を測定する場合の方が、法線上にある対象物を測定する場合よりも、距離センサ１ａ，１ｂの出力が小さくなる。すなわち、距離センサ１ａ，１ｂの法線から離れている対象物は、実際よりも距離センサ１ａ，１ｂから遠くにあると判断されてしまう。
【００２４】
例えば、距離センサ１ａの法線上（θ１ａ０＝０）の覗き込み者１０２までの距離をＬ０とし、当該法線に対して右側（θ１ａ０＞０）の覗き込み者１０２ａまでの距離をＬ１とし、Ｌ０＞Ｌ１の関係がある場合において、距離Ｌ１が実際よりも大きく計測される結果、距離センサ１ａの計測結果（出力ａａ）が実際とは逆のＬ０＜Ｌ１となる場合がある。図３には、距離センサ１ａの法線に対して右側（θ１ａ０＞０）に覗き込み者１０２ａを示したが、距離センサ１ａの法線に対して左側（θ１ａ０＜０）に覗き込み者がいる場合も同様である。そのため、覗き込み者１０２の位置を正しく検出するには、距離センサ１の法線の近くに覗き込み者１０２が存在するように、距離センサ１ａの超音波照射角度θ１ａを決定する必要がある。
【００２５】
ＬＣＤ７表面の法線Ｙ１に対する距離センサ１ａの超音波照射角度θ１ａは、使用者１０１と覗き込み者１０２とが密接して隣り合うような距離にいる場合（図２）を想定して、θ１ａ＝５３°〜５６°に設定される。角度θ１ａがこの範囲にあるときには、覗き込み者１０２を検出するための距離センサ１ａの距離検出感度は最高となる。
【００２６】
ここでは、図３を参照して、使用者１０１の右側に覗き込み者１０２がいる場合の距離センサ１ａの出力について説明したが、使用者１０１の左側に覗き込み者１０３がいる場合の距離センサ１ｂの出力についても同様に考えることができる。これについて、図４を参照して説明する。
【００２７】
図４は、使用者１０１の左側の覗き込み者１０３と距離センサ１ｂとの関係を示す上面図である。例えば、距離センサ１ｂの法線上（θ１ｂ０＝０）の覗き込み者１０３までの距離をＬ３とし、当該法線に対して左側（θ１ｂ０＜０）の覗き込み者１０３ａまでの距離をＬ４とし、Ｌ３＞Ｌ４の関係がある場合において、距離Ｌ４が実際よりも大きく計測される結果、距離センサ１ｂの計測結果（出力ａｂ）が実際とは逆のＬ３＜Ｌ４となる場合がある。図４には、距離センサ１ｂの法線に対して左側（θ１ｂ０＜０）に覗き込み者１０３ａを示したが、距離センサ１ｂの法線に対して右側（θ１ｂ０＞０）に覗き込み者がいる場合も同様である。そのため、覗き込み者１０３の位置を正しく検出するには、距離センサ１ｂの法線の近くに覗き込み者１０３が存在するように、距離センサ１ｂの超音波照射角度θ１ｂを決定する必要がある。
【００２８】
ＬＣＤ７表面の法線Ｙ１に対する距離センサ１ｂの超音波照射角度θ１ｂは、使用者１０１と覗き込み者１０３とが密接して隣り合うような距離にいる場合（図２）を想定して、θ１ｂ＝５３°〜５６°に設定される。角度θ１ｂがこの範囲にあるときには、覗き込み者１０３を検出するための距離センサ１ｂの距離検出感度は最高となる。
【００２９】
上述した角度θ１，θ２（図２）の関係から、覗き込み者１０２，１０３はＬＣＤ７表面の法線Ｙ１に対して対称の位置にあり、θ１ａ＝θ１ｂ、Ｌ０＝Ｌ３、Ｌ１＝Ｌ４となる。
【００３０】
図５は、距離センサ１ａ，１ｂの超音波照射角度θ１ａ，θ１ｂを５３°に設定した場合の、ＬＣＤ７の法線Ｙ１から覗き込み者１０２，１０３までの距離Ｌと距離センサ１ａ，１ｂのセンサ出力ａａ，ａｂとの関係を示す図である。
【００３１】
図５において、距離センサ１ａ，１ｂと覗き込み者１０２，１０３との距離Ｌ＝５０ｃｍのときの距離センサ１ａ，１ｂの出力電圧値ａａ，ａｂを１．０Ｖとする。距離センサ１ａ，１ｂから覗き込み者１０２，１０３までの距離Ｌが大きくなるにつれて出力ａａ，ａｂは徐々に小さくなり、距離センサ１ａ，１ｂから覗き込み者１０２，１０３までの距離が小さくなるにつれて出力ａａ，ａｂは徐々に大きくなる。
【００３２】
さらに、距離Ｌを一定とした場合、距離センサ１ａ，１ｂの法線からのずれ（角度θ１ａ０，θ１ｂ０）が±１０°、±２０°、±３０°と大きくなるにつれ、距離センサ１ａ，１ｂの出力ａａ，ａｂは小さくなる。そこで、図５に四角形Ａで囲った範囲のように、覗き込み者１０２，１０３が使用者１０１の左右に隣り合う場合か、隣り合わなくても液晶パネル７と覗き込み者の距離が極めて近い場合に、これを検出できるような範囲を設定する。ここでは、距離センサ１ａ，１ｂからの出力ａａ，ａｂが、図５の範囲Ａ（ａａ，ａｂ＞１．０Ｖ）に入る場合には、携帯端末機器１００に極めて接近した位置に覗き込み者がいる、すなわち携帯端末機器１００が覗き見されうると判断する。
【００３３】
センサ出力処理回路２は、上述したように距離センサ１ａ，１ｂの出力値ａａ，ａｂの値を検出し、例えばａａ，ａｂ＞１．０Ｖ（ａａ，ａｂの少なくとも一方が１．０Ｖより大）の場合には、使用者１０１が操作する携帯端末機器１００が覗き込み者に覗き見されていると判別し、出力ｂ＝“１”という信号を視野角制御回路３に出力する。一方、距離センサ１ａ，１ｂの出力値ａａ，ａｂが、ａａ，ａｂ≦１．０Ｖ（ａａ，ａｂの両方が１．０以下）の場合には、覗き見されていないと判別し、出力ｂ＝“０”信号を視野角制御処理回路３に出力する。
【００３４】
視野角制御処理回路３は、ＬＣＤ７に表示される画像情報に対して、例えばＬＣＤの左右方向からの光学的特性を利用した視野角制御動作を行う。具体的には、視野角制御処理回路３は、ＬＣＤ７の正面方向から見た場合には問題なく表示画像を視認できるが、ＬＣＤ７の左右方向から見た場合には、表示画像のコントラストが極めて悪化し、そこに表示されている画像情報が識別できなくなるような効果を与える信号処理を、画像エンジン５からの情報ｃに対して施す。
【００３５】
図６は、使用者１０１がＬＣＤ７を視認する際の位置関係を示す図である。図７は、一般的な広視野角液晶における視野角特性を示す図である。図６において、携帯表示装置１００に搭載されているＬＣＤ７を使用者１０１が視認する際、ＬＣＤ７の表面に対して垂直方向に視認する場合に輝度及びコントラストが最大となる（すなわち画質が良好となる
）が、必ずしもＬＣＤ７の表面に対して垂直方向に視認するとは限らず、左右方向から視認する場合もある。例えば、一つのＬＣＤ７を複数人数で見る場合など、ＬＣＤ７が、その法線方向に対して右方向（角度Ｐ０＞０）及び左方向（角度Ｐ１＜０）から観察される場合もある。
【００３６】
図７に、縦軸にコントラストＣＲをとり、横軸に液晶パネル１０７の左右方向の視野角Ｐ（−９０°≦Ｐ≦９０°）をとると、コントラストＣＲと視野角Ｐとの関係は、視野角Ｐ＝０のときにコントラストＣＲが最大で、視野角Ｐが大きくなるほどコントラストＣＲが小さくなる曲線となる。すなわち、使用者１０１がＬＣＤ１０７を正面から視認する場合にコントラストＣＲが最大になり、視野角Ｐの絶対値が大きくなるに従ってコントラストＣＲが小さくなる。
【００３７】
図７からも分かるように、例えば視野角Ｐの絶対値が８０°に近い範囲から覗き込まれる場合（Ｐ＝±８０°）には、ＣＲ＝２０：１という値となり、視野角Ｐ＝０°における最大コントラスト１００：１を大きく下回ることから、画像品位も極めて悪くなる。
【００３８】
但し、文字情報、例えば携帯電話などのメールの文字情報などは、文字入力時や読み取り時の視認性を重視するために、背景色を単色（例えば全面白表示）にし、文字を黒色に設定することにより、背景色と文字色のコントラストＣＲが良好になるような色の組み合わせが設定されている。
【００３９】
例えば、背景色及び文字色を、赤（Ｒ）、緑（Ｇ）、青（Ｂ）のそれぞれの量子化ビット数８ビット（０〜２５５）で表現すると、背景色＝白（２５５，２５５，２５５）、文字色＝黒（０，０，０）となる。
【００４０】
図８は、液晶の配向構造がねじれ配向型（ＴＮ型とする。）又は垂直配向型（ＶＡ型とする。）のＬＣＤにおける階調特性の一例を示す。図８において、縦軸に入力画像の階調数をとり、横軸にＬＣＤ表示時の透過率をとった場合の、視野角Ｐの変化に対する階調特性の変化を示す。視野角Ｐの変化に対して、０階調（黒）及び２５５階調（白）の透過率は変化しないが、正面視（Ｐ＝０°）の場合の階調特性のカーブにおける白／黒以外の中間調は大きく変化している。例えば１９２階調においては、Ｐ＝０°にて透過率＝０．２であるが、Ｐ＝±８０°では０．９５と大きく変化してしまう。
【００４１】
このような特性を持つＬＣＤ７に、背景色＝白（２５５，２５５，２５５）、文字色＝黒（０，０，０）となるメール文章と、背景色＝白（２５５，２５５，２５５）、文字色グレー（１９２，１９２，１９２）のメール文書を表示させた場合の視野角による視認性を比較する。Ｐ＝０°の正面視の場合は、図８から背景色＝白（２５５，２５５，２５５）の場合は透過率＝１、文字色グレー（１９２，１９２，１９２）の透過率＝０．２、文字色黒（０，０，０）の透過率＝０となる。このような表示画像を、視野角Ｐ＝±８０°方向から見た場合は、背景色＝白（２５５，２５５，２５５）及び文字色＝黒（０，０，０）における透過率は変化しないが、文字色＝グレー（１９２，１９２，１９２）の透過率は０．９５と背景色白（２５５，２５５，２５５）の透過率１．０と極めて近くなることから、視野角Ｐ＝±８０°においては文字色と背景色がほぼ同一の明るさとなり、文字色と背景色とのコントラストは極めて悪くなることから、このような文字色と背景色の組み合わせにて生成されたメール画像が表示されたＬＣＤ７では、左右方向から文字が見えにくくなる。
【００４２】
視野角制御処理回路３は、センサ出力処理回路２からｂ＝“１”という信号を入力された場合には、画像エンジン５からの出力画像ｃに対して、左右方向から覗き込まれた場合にも文字が見えないよう背景色及び文字色の色を変化させる処理（覗き見防止処理）を施した後、処理画像をＬＣＤドライバ６に出力する。すなわち、ＬＣＤ７において、上述したように文字色をグレー（１９２，１９２，１９２）で表示し、背景色を白（２５５，２５５，２５５）で表示することにより、左右から覗き込んだ場合に文字が見にくいような処理を施す。
【００４３】
一方、センサ出力処理回路２からｂ＝“０”という信号を入力された場合には、視野角制御処理回路３は、画像エンジン５からの出力画像ｃを何ら処理せずにＬＣＤドライバ６に出力する。
【００４４】
この実施の形態１では、距離センサ１ａ，１ｂが携帯表示装置１００と覗き込み者との距離を常に計測しており、一定距離以内と判断した場合には、センサ出力処理回路２からの制御信号によって、視野角制御処理回路３が、画像エンジン３の出力画像を覗き見防止効果が得られる画像に変換する。従って、使用者１０１が、周囲の覗き込み者に気がつかなかった場合でも、ＬＣＤ７の表示画像に自動的に覗き見防止処理が施される。また、覗き込み者が立ち去った後は、携帯表示装置１００と覗き込み者との距離が一定距離以上になるため、センサ出力処理回路２からの制御信号によって、視野角制御処理回路３が覗き見防止処理を解除する。
【００４５】
つまり、使用者が周囲の状況を監視しなくても、覗き込み者の存在を検知し、ＬＣＤ７の視野角を自動的に狭くして覗き込み者が表示情報を視認できないようにすることができるため、機密文章の閲覧時やパスワードなどの重要な情報を入力していた場合にも、機密情報の漏洩などを未然に防止することが可能になる。また、覗き込み者が周囲にいなくなった場合には、自動的にＬＣＤ７の視野角が元の広い状態に戻るため、ＬＣＤ７正面からコントラストが最良の状態にて使用者が表示画像を視認できる。すなわち、ＬＣＤ７本来の広視野角による良好な視認性を、使用者のみが楽しむことができる。
【００４６】
さらに、仮に使用者１０１が周囲の覗き込み者の存在に気がついたとしても、特にボタン操作等をしなくても自動的に覗き見防止状態に切り替わるため、メール作成のためのキー操作などを中断する必要がなくなり、携帯表示装置を快適に使用することができる。
【００４７】
また、この実施の形態１においては、ＬＣＤ７に表示するコントラストを変化させることで、左右方向から覗き込まれた場合にも文字が視認できないような処理を行っているため、ＬＣＤ７上に視野角制御用のベールビュー液晶等を設けなくても、覗き込み者による表示画面の視認を抑制することができる。
【００４８】
また、この実施の形態１では、超音波センサ等の非接触センサ（距離センサ１ａ，１ｂ）を用いるようにしたので、使用者の隣にいる覗き込み者を確実に検知できるよう柔軟に検出可能範囲を設定することができ、検出精度を高くすることができる。また、距離センサ１ａ，１ｂによる検出可能範囲をＬＣＤ７の表示面の法線に対して左右に向けて設定することにより、左右に隣接する覗き込み者を確実に検出することが可能となる。
【００４９】
実施の形態２．
図９は、本発明の実施の形態２に係る携帯表示装置１２０の構成を示すブロック図である。図９において、実施の形態１の携帯表示装置１００（図１）と同一の機能を有する構成要素には、同一符号を付す。実施の形態２に係る携帯表示装置１２０は、携帯表示装置１２０の周囲の覗き込み者１０２，１０３の存在を検出する手段として、カメラモジュール４及び距離計測処理回路２０を用いるものである。
【００５０】
カメラモジュール４は、携帯表示装置１２０において、通常、風景や人物などを撮影するために用いられるが、例えばＴＶ電話機能を有する携帯電話などでは、使用者１０１の表情を通話相手に送信する必要があることから、使用者１０１自身を撮影できるよう構成されている。実施の形態２における人感センサ４０１は、カメラモジュール４と距離計測処理回路２０から構成される。
【００５１】
ここで、カメラモジュール４が使用者１０１を撮影する状態にある場合、画像エンジン５は、カメラモジュール４に対し、撮影画像情報ｇを画像エンジン５に常に出力し続けるよう指示する制御信号ｈを出力する。この制御信号ｈには、撮影時の画像サイズ、画角、光学ズームの倍率など、撮影に必要な情報も含まれている。制御信号ｈによりカメラモジュール４が起動し、撮影画像情報ｇを画像エンジン５及び距離計測処理回路２０に出力する。
【００５２】
図１０（Ａ）は、ＴＶ電話機能を有する携帯表示装置１２０の一例を示す図であり、図１０（Ｂ）は、カメラモジュール４による使用者１０１自身の撮影画像の一例を示す。なお、図１０（Ｂ）には、使用者１０１の周囲に覗き込み者がいない場合が示されている。
【００５３】
図１０（Ａ）に示すように、携帯表示装置１２０におけるカメラモジュール４の取り付け位置は、一般に、使用者１０１とＬＣＤ７との距離や使用者１０１の目線を考慮し、使用者１０１の容貌が撮影画面の中心にくるように決定される。例えば、図１０（Ａ）に示すように、携帯表示装置１２０の中心部分において、ＬＣＤ７の下側に設けられる。
【００５４】
図１１は、使用者１０１の左右に覗き込み者１０２，１０３が存在する場合におけるカメラモジュール４における撮影画像の一例を示す図である。カメラモジュール４は、使用者１０１の左右に覗き込み者１０２，１０３の容貌の一部を撮影することになるため、カメラモジュール４の撮影画像には、覗き込み者１０２，１０３の顔面（図１１の斜線部分）が入り込んでいる。
【００５５】
図１２は、図１１に示した使用者１０１及び覗き込み者１０２，１０３の顔の位置を、撮影画像情報ｇの中から特定する方法を説明するための図である。図１２の撮影画像において、斜線で示したエリア２００，２０１，２０２は、覗き込み者１０２，１０３及び使用者１０１の顔面がそれぞれ存在するエリアを示す。このエリアには、人間の顔面の情報があるため、例えば覗き込み者が日本人など黄色人種であれば、通常薄い橙色から薄い茶色をとる場合が多い。
【００５６】
カメラモジュール４から出力される撮影画像情報ｇは、ＲＧＢ各色８ｂｉｔの量子化ビット数を割り当てられるが、例えば日本人の肌の色を表す情報としては、ＲＧＢ値＝（２４１，１８７，１４７）という情報（肌情報とする。）が一般的に使われている。
【００５７】
距離計測処理回路２０では、エリア２００及びエリア２０１の画像情報を常に抽出し、ＲＧＢ値＝（２４１，１８７，１４７）という色の検出結果をもとに、エリア２００，２０１に人間の肌が存在するか否かの判定を行う。
【００５８】
すなわち、距離計測処理回路２０は、エリア２００又はエリア２０１に一定以上の肌情報の画素を検出した場合には、ａｃ＝“１”という信号を視野角制御処理回路３に出力する。また、エリア２００，２０１の何れにも一定以上の肌情報の画素を検出できなかった場合には、ａｃ＝“０”という信号を視野角制御処理回路３に出力する。この信号ａｃを「距離情報」とも呼ぶ。
【００５９】
距離情報ａｃの他の導出方法としては、以下の方法がある。距離計測処理回路２０は、撮影画像の中心部に写る使用者１０１の顔（エリア２０２）の表示面積と、左右に存在する覗き込み者１０２，１０３の顔（エリア２００，２０１）の表示面積とを比較する。そして、エリア２００の面積Ｓ２００がエリア２０２の面積Ｓ２０２の１／２とほぼ等しい場合（Ｓ２０２×１／２≒Ｓ２００）、又は、エリア２０１の面積Ｓ２０１がエリア２０２の面積Ｓ２０２の１／２とほぼ等しい場合（Ｓ２０２×１／２≒Ｓ２０１）には、使用者１０１と覗き込み者１０２又は覗き込み者１０３との間隔が極めて近いと判断し、ａｃ＝“１”という信号を出力し、それ以外の場合にはａｃ＝“０”という信号を出力する。
【００６０】
なお、視野角制御処理回路３は、距離計測処理回路２０からａｃ＝“１”という信号を入力された場合には、画像エンジン５からの出力画像ｃに対して実施の形態１で説明した覗き見防止処理（左右方向から覗き込まれた場合にも文字が視認できないようＬＣＤ７の視野角を狭くする処理）を施す。一方、距離計測処理回路２０からａｃ＝“０”という信号を入力された場合には、視野角制御処理回路３は、画像エンジン５からの出力画像ｃを何ら処理せずにＬＣＤドライバ６に出力する。
【００６１】
この実施の形態２では、覗き込み者がＬＣＤ７に表示された情報を覗き込む可能性がある場合は、カメラモジュール４及び距離計測処理回路２０により覗き込み者の存在を検知し、覗き込み者がＬＣＤ７の表示情報を視認できないよう覗き見防止処理を施すため、機密文章の閲覧時やパスワードなどの重要な情報を入力していた場合にも、機密情報の漏洩などを未然に防止することが可能になる。また、覗き込み者が周囲にいなくなった場合には、覗き見防止処理が自動的に解除されて元の広い状態に戻るため、ＬＣＤ７正面からのコントラストが最良の状態にて使用者が画像を視認できる。
【００６２】
特に、この実施の形態２においては、使用者を撮影するためのカメラモジュール４を利用して、覗き込み者が表示画面を覗き込む可能性の有無を判断しているため、専用のセンサ等を用いた場合と比較して、部品点数を少なくし、製造コストを低減することができる。
【００６３】
実施の形態３．
図１３は、本発明の実施の形態３に係る携帯表示装置１３０の構成を示すブロック図である。図１３において、実施の形態１の携帯表示装置１００（図１）と同一の機能を有する構成要素には、同一符号を付す。この実施の形態３の携帯表示装置１３０は、実施の形態１で説明した視野角制御処理回路３（図１）の代わりに、覗き込み警告表示回路３００を備えたものである。
【００６４】
覗き込み警告表示回路（警告手段）３００は、センサ出力処理回路２からｂ＝“１”という信号が出力された場合、画像エンジン５からの表示画像情報ｃに対して、第三者に表示画像を覗き込まる可能性があることを示す情報を表示させる処理を行う。具体的には、覗き込み警告表示回路３００は、例えばＬＣＤ７の表示画像の上部に“セキュリティチェック！！”等の警告メッセージを重畳して表示するよう、ＬＣＤドライバ６にその画像情報ｄを出力する。図１４は、ＬＣＤ７の表示画像の上部に“セキュリティチェック！！”等の警告メッセージ４２０が表示された例を示す図である。センサ出力回路２からの信号がｂ＝“０”であった場合には、第三者に表示画像を覗き込まれる可能性があることを示す情報を表示させる処理は行わない。
【００６５】
この実施の形態３では、第三者がＬＣＤ７に表示された情報を覗き込む可能性がある場合には、使用者が周囲の状況を常に監視していなくても、覗き込み者の存在を検知し、ＬＣＤ７の表示画面で使用者に警告するため、機密文章の閲覧時やパスワードなどの重要な情報を入力していた場合にも、第三者の存在しない場所に移動するといった適切な対処をとることが可能となり、その結果、機密情報の漏洩などを未然に防止することが可能になる。
【００６６】
また、超音波センサ等の非接触センサ（距離センサ１ａ，１ｂ）を用いることで、実施の形態１と同様、高い検出精度で使用者の隣にいる第三者を検知することができる。  
【００６７】
実施の形態４．
図１５は、本発明の実施の形態４に係る携帯表示装置１４０の構成を示すブロック図である。図１５において、実施の形態２の携帯表示装置１２０（図９）と同一の機能を有する構成要素には、同一符号を付す。
【００６８】
この実施の形態４に係る携帯表示装置１４０は、実施の形態２の携帯表示装置１２０（カメラモジュール４及び距離計測処理回路２０を用いて第三者が覗き込む可能性の判断を行う）における視野角制御処理回路３の代わりに、実施の形態３で説明した覗き込み警告表示回路３００を設けたものである。覗き込み警告表示回路３００は、実施の形態３にて説明した処理と同一の処理を行うものである。
【００６９】
覗き込み警告表示回路３００は、距離計測処理回路２０からａｃ＝“１”という信号を入力された場合には、実施の形態３と同様に、第三者に表示画像を覗き込まれる可能性があることを示す情報をＬＣＤ７に表示させる処理を行う。距離計測処理回路２０からａｃ＝“０”という信号を入力された場合には、覗き込み警告表示回路３００は、第三者に表示画像を覗き込まれる可能性があることを示す情報をＬＣＤ７に表示させる処理は行わない。
【００７０】
この実施の形態４では、実施の形態３と同様の効果に加え、使用者を撮影するためのカメラモジュール４を利用して第三者が覗き込む可能性の有無を判断しているため、専用のセンサ等を用いた場合と比較して、部品点数を少なくし、製造コストを低減することができる。
【００７１】
実施の形態５．
図１６は、本発明の実施の形態５に係る携帯表示装置１５０の構成を示すブロック図である。図１６において、実施の形態１の携帯表示装置１００（図１）と同一の機能を有する構成要素には、同一符号を付す。
【００７２】
実施の形態５に係る携帯表示装置１５０は、実施の形態１の携帯表示装置１００から視野角制御処理回路３（図１）を削除し、画像エンジン５の出力信号ｃをＬＣＤドライバ６に直接入力し、さらに、センサ出力処理回路２の出力信号ｂをＣＰＵ８に入力するよう構成されている。また、ＬＥＤ３０１及びバイブレータ３０２を設け、ＣＰＵ８からの制御信号ｐ，ｑによりＬＥＤ３０１およびバイブレータ３０２の動作を制御するようになっている。
【００７３】
ＣＰＵ８は、センサ出力処理回路２からｂ＝“１”の信号が入力された場合には、ＬＥＤ３０１及びバイブレータ３０２に対し、通常の携帯電話などで行われている着信時の動作パターンとは異なるパターンで動作するよう制御信号ｐ，ｑを出力する。これにより、ＬＥＤ３０１は、着信時とは異なる表示パターン（例えば表示色が異なる）で点灯し、バイブレータ３０２は、着信時とは異なる振動モード（例えばオンオフ間隔が異なる）で振動する。使用者は、ＬＥＤ３０１の点灯及びバイブレータ３０２の振動により、周囲に覗き込む可能性のある第三者が存在することを認識することができる。
【００７４】
一方、ＣＰＵ８は、センサ出力処理回路２からｂ＝“０”の信号が入力された場合には、ＬＥＤ３０１及びバイブレータ３０２に対する通常の動作制御を行う。すなわち、着信があった場合には、ＬＥＤ３０１及びバイブレータ３０２を通常の動作モードに従って動作させる。
【００７５】
この実施の形態５では、第三者がＬＣＤ７に表示された情報を覗き込む可能性がある場合には、使用者が周囲の状況を常に監視していなくても、覗き込み者の存在を検知し、かつＬＥＤ３０１やバイブレータ３０２により使用者に警告するため、機密文章の閲覧時やパスワードなどの重要な情報を入力していた場合にも、第三者の存在しない場所に移動するといった適切な対処をとることが可能となり、その結果、機密情報の漏洩などを未然に防止することが可能になる。
【００７６】
なお、この実施の形態５では、ＬＥＤ３０１及びバイブレータ３０２を動作させて警告を行うとしたが、ＬＥＤ３０１又はバイブレータ３０２の何れか一方のみを動作させて警告を行っても良い。また、ＬＥＤ３０１やバイブレータ３０２の代わりに、他の警告手段（例えばスピーカ１０３により一定の音声を発する）を用いてもよい。また、ＬＥＤ３０１以外の点灯部を用いても良い。
【００７７】
実施の形態６．
図１７は、本発明の実施の形態６に係る携帯表示装置１６０の構成を示すブロック図である。図１７において、実施の形態２の携帯表示装置１２０（図９）と同一の機能を有する構成要素には、同一符号を付す。
【００７８】
この実施の形態６に係る携帯表示装置１６０は、実施の形態２の携帯表示装置１２０において、実施の形態５と同様に、視野角制御処理回路３を削除し、画像エンジン５の出力信号ｃをＬＣＤドライバ６に直接入力し、さらに、センサ出力処理回路２の出力信号ｂをＣＰＵ８に入力するようにしたものである。また、実施の形態５と同様に、ＬＥＤ３０１及びバイブレータ３０２を設け、ＣＰＵ８からの制御信号ｐ，ｑによりＬＥＤ３０１およびバイブレータ３０２の動作を制御するようになっている。
【００７９】
ＣＰＵ８は、距離計測処理回路２０からａｃ＝“１”という信号を入力された場合には、ＬＥＤ３０１及びバイブレータ３０２に対し、通常の携帯電話などで行われている着信時の動作パターンとは異なるパターンで動作するよう制御信号ｐ，ｑを出力する。また、
距離計測処理回路２０からａｃ＝“０”という信号を入力された場合には、ＣＰＵ８は、ＬＥＤ３０１及びバイブレータ３０２に対する通常の動作制御を行う。
【００８０】
この実施の形態６では、実施の形態５と同様の効果に加え、使用者を撮影するためのカメラモジュール４を利用して第三者が覗き込む可能性の有無を判断しているため、専用のセンサ等を用いた場合と比較して、部品点数を少なくし、製造コストを低減することができる。
【００８１】
なお、この実施の形態６では、ＬＥＤ３０１及びバイブレータ３０２を動作させて警告を行うとしたが、ＬＥＤ３０１又はバイブレータ３０２の何れか一方のみを動作させて警告を行っても良い。また、ＬＥＤ３０１，３０２の代わりに、他の警告手段（例えばスピーカ１０３により一定の音声を発する）を用いてもよい。また、ＬＥＤ３０１以外の点灯部を用いても良い。
【００８２】
上述した実施の形態３〜６に係る携帯表示装置は、表示部としてＬＣＤを有するものには限定されず、ＬＣＤ以外の表示部を有するものであってもよい。
【００８３】
本発明は、携帯電話など、表示部を有する携帯端末機器に利用することができる。
【図面の簡単な説明】
【００８４】
【図１】この発明の実施の形態１に係る携帯表示装置の構成を示すブロック図である。
【図２】この発明の実施の形態１に係る携帯表示装置と使用者と覗き込み者との位置関係を示す図である。
【図３】この発明の実施の形態１に係る携帯表示装置のＬＣＤと距離センサと覗き込み者との位置関係を示す図である。
【図４】この発明の実施の形態１に係る携帯表示装置のＬＣＤと距離センサと覗き込み者との位置関係を示す図である。
【図５】この発明の実施の形態１に係る携帯表示装置の距離センサの角度と、覗き込み者までの距離と、距離センサの出力との関係を示す図である。
【図６】この発明の実施の形態１に係る携帯表示装置のＬＣＤを使用者が視認する際の位置関係を示す図である。
【図７】一般的な広視野角液晶における視野角特性を示す図である。
【図８】ＬＣＤの階調特性の一例である。
【図９】本発明の実施の形態２に係る携帯表示装置の構成を示すブロック図である。
【図１０】ＴＶ電話機能を有する携帯表示装置の構成例を示す図（Ａ）及びカメラモジュールによる使用者自身の撮影画像を示す図（Ｂ）である。
【図１１】使用者の左右に覗き込み者が存在する場合のカメラモジュールによる撮影画像の一例である。
【図１２】図１１における使用者及び覗き込み者の顔を撮影画像情報から特定する方法を説明するための図である。
【図１３】本発明の実施の形態３に係る携帯表示装置の構成を示すブロック図である。
【図１４】本発明の実施の形態３に係る携帯表示装置における警告メッセージの表示例を示す図である。
【図１５】本発明の実施の形態４に係る携帯表示装置の構成を示すブロック図である。
【図１６】本発明の実施の形態５に係る携帯表示装置の構成を示すブロック図である。
【図１７】本発明の実施の形態６に係る携帯表示装置の構成を示すブロック図である。
【符号の説明】
【００８５】
１ａ，１ｂ  距離センサ、  ２  センサ出力処理回路、  ３  視野角制御処理回路、  ４  カメラモジュール、  ５  画像エンジン、  ７  ＬＣＤ、  ８  ＣＰＵ、  ２０  距離計測処理回路、  ３００  覗き込み警告表示回路、  ３０１  ＬＥＤ、  ３０２  バイブレータ、  ４００  人感センサ。
【図１】
2007293062.tif 000003
【図２】
2007293062.tif 000004
【図３】
2007293062.tif 000005
【図４】
2007293062.tif 000006
【図５】
2007293062.tif 000007
【図６】
2007293062.tif 000008
【図７】
2007293062.tif 000009
【図８】
2007293062.tif 000010
【図９】
2007293062.tif 000011
【図１０】
2007293062.tif 000012
【図１１】
2007293062.tif 000013
【図１２】
2007293062.tif 000014
【図１３】
2007293062.tif 000015
【図１４】
2007293062.tif 000016
【図１５】
2007293062.tif 000017
【図１６】
2007293062.tif 000018
【図１７】
2007293062.tif 000019